(57)【要約】【課題】回動アームを、複数の係合部のいずれに嵌合した場合でも、操作手段の操作力や被操作レバーの移動ストロークが変動することがないようにした車両用ドアロック装置を提供する。【解決手段】ロック位置とアンロック位置とに直線運動させられるように、ドアロック本体８に保持したキーレバー１５に、その移動方向と交差する軸回りに回動させられることにより、キーレバー１５をロック位置とアンロック位置とに移動させうる回動アーム２４が係合するようにした複数の係合部を、キーレバー１５の移動方向に並べて設け、いずれかの係合部に係合させた回動アーム２４の回動中心部に設けた非円形孔２５に、ドアの車外側の面に装着したキーシリンダ装置よりドアの内部に向かって延出する非円形の操作軸を嵌合する。  【選択図】  図４
2008223295.tif 000002
【特許請求の範囲】
【請求項１】
ドアに設けたドアロック本体における被操作レバーを、直線運動させられることにより、第１作動位置と第２作動位置とに移動させられるように保持し、前記被操作レバーに、その移動方向と交差する軸回りに回動させられることにより、前記被操作レバーを第１作動位置と第２作動位置とに移動させうる回動アームが係合するようにした複数の係合部を、被操作レバーの移動方向に並べて設け、いずれかの係合部に係合させた回動アームの回動中心部に設けた非円形孔に、ドアの車外側および車内側のいずれかの面に装着した操作手段よりドアの内部に向かって延出し、操作手段の操作により軸線回りに回動させられるようにした非円形断面の操作軸を嵌合したことを特徴とする車両用ドアロック装置。
【請求項２】
被操作レバーを、中立位置から、第１作動位置であるロック位置と、その逆方向の第２作動位置であるアンロック位置とに直線状に移動させられ、ロック位置のときは、ドアロック本体をロック状態とし、またアンロック位置のときは、ドアロック本体をアンロック状態とするキーレバーとし、操作手段を、ドアの車外側の面に装着されたキーシリンダ装置としたことを特徴とする請求項１記載の車両用ドアロック装置。
【請求項３】
被操作レバーを、それぞれが１個の係合部を備える複数の分割片を、分離可能として、直線状に結合して形成したことを特徴とする請求項１または２記載の車両用ドアロック装置。
【請求項４】
被操作レバーにおける第１段目〜複数段目の分割片の遊端部に、係合溝を設け、かつ第２段目以降の分割片の基端部に、前記係合溝に係合しうる鉤形の係合片を設けたことを特徴とする請求項３記載の車両用ドアロック装置。
【請求項５】
被操作レバーにおける各係合部を、対向する２辺が被操作レバーの移動方向と直交する方向を向く四角形の孔としたことを特徴とする請求項１〜４のいずれかに記載の車両用ドアロック装置。
【請求項６】
被操作レバーの各係合部における被操作レバーの移動方向と直交する方向を向く対向縁の断面形状を曲面としたことを特徴とする請求項５記載の車両用ドアロック装置。
【請求項７】
回動アームを、先細り形状としたことを特徴とする請求項１〜６のいずれかに記載の車両用ドアロック装置。
【発明の詳細な説明】
【技術分野】
【０００１】
本発明は、車両のサイドドア、バックドア、トランクリッド等のドアロックに適用可能な車両用ドアロック装置に関する。
【背景技術】
【０００２】
従来のこの種のドアロック装置には、ドアロック本体におけるキーレバーと、ドアの車外側の側面に取付けられるキーシリンダ装置との位置関係が相違する異なる車種に、ドアロック本体を共通化して取り付けることができるようにするため、キーレバーに複数の選択係合孔を設け、このいずれかの選択係合孔に、キーシリンダ装置からドアの内部に延出する操作軸が嵌合するようにした入力軸部材を択一的に嵌合しうるようにしたものがある(例えば特許文献１参照)。
【０００３】
また、キーシリンダ装置とドアロック本体とを、可撓性のトルクケーブルをもって連結したもの(例えば特許文献２参照)や、キーレバーに対して、キーシリンダ装置に連結したキーロータを、取付角度可変として取り付けたもの(例えば特許文献３参照)等もある。
【特許文献１】特開２００４−１００３１０号公報
【特許文献２】特開２００４−３３２４４９号公報
【特許文献３】特許第３７７７９６８号公報
【発明の開示】
【発明が解決しようとする課題】
【０００４】
しかし、特許文献１に記載されているものは、操作軸をいずれの選択係合孔に嵌合するかによって、キーシリンダ装置の操作力と、キーレバーの回動ストロークとが変動するという問題がある。
【０００５】
また、特許文献２および３に記載されているものは、キーシリンダ装置とドアロック本体との連結構造(特許文献２)、およびキーレバーとキーロータとの連結構造(特許文献３)が複雑化し、製造コストが高くつく。
【０００６】
本発明は、従来の技術が有する上記のような問題点に鑑み、回動アームを、複数の係合部のいずれに嵌合した場合でも、操作手段の操作力や被操作レバーの移動ストロークが変動することがなく、しかも構造および組付作業が簡単で、安価に製造できるようにした車両用ドアロック装置を提供することを目的としている。
【課題を解決するための手段】
【０００７】
本発明によると、上記課題は次のようにして解決される。
（１）ドアに設けたドアロック本体における被操作レバーを、直線運動させられることにより、第１作動位置と第２作動位置とに移動させられるように保持し、前記被操作レバーに、その移動方向と交差する軸回りに回動させられることにより、前記被操作レバーを第１作動位置と第２作動位置とに移動させうる回動アームが係合するようにした複数の係合部を、被操作レバーの移動方向に並べて設け、いずれかの係合部に係合させた回動アームの回動中心部に設けた非円形孔に、ドアの車外側および車内側のいずれかの面に装着した操作手段よりドアの内部に向かって延出し、操作手段の操作により軸線回りに回動させられるようにした非円形断面の操作軸を嵌合する。
【０００８】
（２）上記(１)項において、被操作レバーを、中立位置から、第１作動位置であるロック位置と、その逆方向の第２作動位置であるアンロック位置とに直線状に移動させられ、ロック位置のときは、ドアロック本体をロック状態とし、またアンロック位置のときは、ドアロック本体をアンロック状態とするキーレバーとし、操作手段を、ドアの車外側の面に装着されたキーシリンダ装置とする。
【０００９】
（３）上記(１)または(２)項において、被操作レバーを、それぞれが１個の係合部を備える複数の分割片を、分離可能として、直線状に結合して形成する。
【００１０】
（４）上記(３)項において、被操作レバーにおける第１段目〜複数段目の分割片の遊端部に、係合溝を設け、かつ第２段目以降の分割片の基端部に、前記係合溝に係合しうる鉤形の係合片を設ける。
【００１１】
（５）上記(１)〜(４)項のいずれかにおいて、被操作レバーにおける各係合部を、対向する２辺が被操作レバーの移動方向と直交する方向を向く四角形の孔とする。
【００１２】
（６）上記(１)〜(５)項のいずれかにおいて、被操作レバーの各係合部における被操作レバーの移動方向と直交する方向を向く対向縁の断面形状を曲面とする。
【００１３】
（７）上記(１)〜(６)項のいずれかにおいて、回動アームを、先細り形状とする。
【発明の効果】
【００１４】
本発明によると、次のような効果を奏することができる。
請求項１記載の発明によると、回動アームを、複数の係合部のいずれに嵌合した場合でも、操作手段の操作力や被操作レバーの移動ストロークが変動することがなく、それらを常に一定に維持することができるので、操作手段の操作力や被操作レバーの移動ストロークが変動することによる対応を考慮する必要がなく、組付作業が簡単となる。
また、操作手段を、その操作軸が所望の係合部に嵌合した回動アームの非円形孔に嵌合するようにして、ドアの車外側または車内側の外面に取付けるだけで、操作軸と被操作レバーとが簡単に連結され、それらを特別な連結手段をもって、連結作業する必要がなく、組付作業が簡単であり、しかも構造が簡単で、安価に製造できる。
【００１５】
請求項２記載の発明によると、具体的に、ドアロック本体におけるキーレバーとドアの車外側の面に装着されるキーシリンダ装置との連結構造に、請求項１記載の構成を適用し、上記のような請求項１記載の発明の効果をもたらすことができる。
【００１６】
請求項３記載の発明によると、被操作レバーを、１個の係合部を備える複数の分割片を、分離可能として、直線状に結合して形成してあるので、不用な分割片を削除して、被操作レバーを小型化したり、分割片を継ぎ足して、被操作レバーを、必要な長さまで延長させたりすることができる。
【００１７】
請求項４記載の発明によると、複数の分割片における前段のものの遊端部の係合溝に、次段のものの基端部の鉤形の係合片を係合させることにより、複数の分割片を簡単に結合することができるとともに、簡単に分離することもできる。
【００１８】
請求項５記載の発明によると、被操作レバーにおける各係合部を、対向する２辺が被操作レバーの移動方向と直交する方向を向く四角形の孔としてあるので、回動アームの回動中心が、被操作レバーの移動方向と直交していない場合でも、回動アームと被操作レバーとの接触点が、係合部である四角形の孔の上記対向する２辺に沿って移動するだけで、回動アームの回動により、被操作レバーを円滑に直線運動させることができる。
【００１９】
請求項６記載の発明によると、被操作レバーの各係合部における被操作レバーの移動方向と直交する方向を向く対向縁の断面形状を曲面としてあるので、回動アームの回動により、被操作レバーを円滑に直線運動させることができる。
【００２０】
請求項７記載の発明によると、回動アームを、先細り形状としてあるので、被操作レバーにおける各係合部と回動アームとの間に、大きな遊びを設けることなく、回動アームが、被操作レバーの移動方向と直交する向きから被操作レバーの移動方向に漸次回動することができ、そのときの回動アームの回動により、被操作レバーを、回動アームのストロークロスが生じることなく、円滑に直線運動させることができる。
【発明を実施するための最良の形態】
【００２１】
以下、本発明の一実施形態を、図面に基づいて説明する。
図１は、本発明の一実施形態を備える車両における運転席側のドアの一部の概略側面図、図２は、図１のII−II線に沿う概略縦断正面部である。なお、図１における右方が車両の前方である。
【００２２】
図１および図２に示すように、このドア１は、アウターパネル２とインナーパネル３との前後縁と下縁同士を互いに固着して、上端に、窓ガラス４昇降用の開口５が形成された中空箱状のドア本体６と、このドア本体６の上端に連設された側面視門型のサッシ７とを備えている。
【００２３】
ドア本体６内におけるインナーパネル３の後部には、車体に設けたストライカ(図示略)と係脱するラッチ(図示略)、およびドア本体６の車外側および車内側の側面に設けた各種操作手段の操作に応じて、上記ラッチの動きを制御する施解錠機構(図示略)を備えるドアロック本体８が設けられている。
【００２４】
アウターパネル２の後上部には、ハンドル取付用の凹部９が設けられ、この凹部９には、操作手段の一つであるアウトサイドハンドル１０と、同じくキーシリンダ装置１１とが設けられている。
【００２５】
この実施形態においては、このキーシリンダ装置１１とドアロック本体８との連結構造に本発明を適用してある。
このキーシリンダ装置１１は、車外からキー(図示略)を挿入して、右方および左方に回動させることにより、内部に設けたロータ(図示略)と、ドア本体６の内部に向かって延出する操作軸１２とが、一体となって、中立位置からロック位置およびアンロック位置へ回動させられるようになっている。
【００２６】
図３に示すように、操作軸１２は、断面十文字状とし、前端部を先細りとしてある。なお、操作軸１２の断面形状は、十文字に限るものではなく、非円形であればどのようなものでもよく、例えば四角形その他の多角形等とすることができる。
【００２７】
また、操作軸１２は、窓ガラス４の昇降軌跡から後方に外れた箇所において、インナーパネル３に向かって、下向き傾斜状態で延出している。このように、操作軸１２を下向き傾斜させているのは、ドア１において、ドアロック本体８は中位部に、キーシリンダ装置１１は上位に設けるというレイアウト上の要請からである。
【００２８】
アウトサイドハンドル１０とドアロック本体８との連結構造、およびドア１の車内側の側面に設けられるインサイドハンドルや施解錠用のノブ(いずれも図示略)等の操作手段と、ドアロック本体８との連結構造については、本発明に直接関係しないため、図示および詳細な説明を省略する。
【００２９】
図３に示すように、ドアロック本体８は、インナーパネル３に固定ねじ(図示略)等をもって固着された、車外側の面が開口するケース１３と、このケース１３の開口部を覆うカバー１４とを備え、このケース１３とカバー１４との間に、上述したラッチおよび施錠機構が収容されている。
【００３０】
図３および図４に示すように、ドアロック本体８の上部には、施錠機構の一構成部材であり、かつ被操作レバーである上下方向を向くキーレバー１５が、上下方向に直線運動可能として、ケース１３とカバー１４とにより保持されている。
【００３１】
このキーレバー１５は、下端部側面に突設したピン１６を介して、施錠機構における他のレバー１７と連係され、図４および図５に示す中立位置から、図６に示す第１作動位置であるロック位置まで下降させられることにより、レバー１７を介して、施錠機構をロック状態とし、また中立位置から、図７に示す第２作動位置であるアンロック位置まで上昇させられることにより、レバー１７を介して、施錠機構をアンロック状態としうるようになっている。
【００３２】
図４〜図８に示すように、キーレバー１５は、この例では、最下段、中段、および最上段の３個の分割片１８、１９、２０を、互いに分離可能として、上下方向に直線状に結合して形成されており、そのそれぞれに、互いに対向する上下の２辺がキーレバー１５の移動方向である上下方向と直交する方向を向く四角形の孔とした係合部２１が設けられている。
図５〜図８に示すように、各係合部２１の上下の対向縁の縦断面形状は、円弧状または放物面状の曲面としてある。
【００３３】
最下段と中段の分割片１８、１９の遊端部、すなわち上端部には、キーレバー１５の移動方向である上下方向と直交する方向を向く係合溝２２が設けられ、また、中段と最上段の分割片１９、２０の基端部、すなわち下端部には、鉤形の係合片２３が設けられ、この中段と最上段の分割片１９、２０における係合片２３を、その直下の分割片１８、１９における係合溝２２に係合させることにより、３個の分割片１８、１９、２０は、互いに分離可能として、上下方向に直線状に結合されている。
【００３４】
なお、中段の分割片１９を複数個とし、それらを互いに上下に連結して、最下段の分割片１８と最上段の分割片２０との間に配設することにより、分割片１８〜２０を、４段以上とすることもできる。
【００３５】
ドアロック本体８の上部には、円筒状の基部２４ａの外周面に、先細り棒状のアーム部２４ｂを突設したものよりなる３個の回動アーム２４が、そのアーム部２４ｂが、キーレバー１５における対応する係合部２１に嵌合し、かつ基部２４ａの中心軸線が、キーレバー１５の移動方向と交差する方向を向いて、その中心軸線回りに回動可能として、また、キーレバー１５における３個の係合部２１と同一間隔をもって、上下方向に並べて、ケース１３とカバー１４とにより保持されている。
【００３６】
各回動アーム２４における基部２４ａの中心軸線の向きは、操作軸１２の向きと一致するか、または平行としてある。この例では、基部２４ａの中心軸線の向きは、キーレバー１５の移動方向に対して直交しておらず、車外側に向かってわずかに上向き傾斜しているが、キーレバー１５の移動方向に対して直交するようにすることもできる。
【００３７】
図３に示すように、カバー１４の上部には、各回動アーム２４における基部２４ａを枢支するとともに、基部２４ａの車外側の端面がカバー１４から露呈するようにした３個の筒部１４ａが、上下方向に並べて設けられている。
【００３８】
各回動アーム２４における基部２４ａの中心部には、操作軸１２の断面形状と補形をなす、この例では十文字状とした非円形孔２５が設けられている。
操作軸１２は、この例では、その中心軸線が一致する最上段の回動アーム２４における基部２４ａの非円形孔２５に、相対回転不能として嵌合されている。
【００３９】
したがって、キーシリンダ装置１１にキーを挿入して、施錠方向である右方に回動させると、その内部に設けたロータと、操作軸１２と、最上段の回動アーム２４とが、中立位置からロック位置へ回動させられる。
【００４０】
そのときの最上段の回動アーム２４におけるアーム部２４ａの回動により、キーレバー１５は、図５に示す中立位置から、図６に示すロック位置へ押し下げられ、ドアロック本体８内の施解錠機構をロック状態とすることができる。
【００４１】
また、キーシリンダ装置１１に挿入したキーを、中立位置から解錠方向である左方に回動させると、ロータと、操作軸１２と、最上段の回動アーム２４とが、中立位置からアンロック位置へ回動させられ、そのときの最上段の回動アーム２４におけるアーム部２４ａの回動により、キーレバー１５は、図５に示す中立位置から、図７に示すアンロック位置へ押し上げられ、ドアロック本体８内の施解錠機構をアンロック状態とすることができる。
【００４２】
この例においては、各回動アーム２４の回動中心が、キーレバー１５の移動方向と直交しておらず、若干傾斜しているため、回動アーム２４の回動時に、アーム部２４ｂが、平面視において車両の内外方向に振れることになる。しかし、キーレバー１５における各係合部２１を、上下に対向する２辺がキーレバー１５の移動方向と直交する方向に長い四角形の孔としてあるので、アーム部２４ｂの回動時に、アーム部２４ｂとキーレバー１５との接触点が、係合部２１である四角形の孔の上記対向する２辺に沿って移動することにより、上記の振れが許容され、キーレバー１５は、円滑に昇降させられる。
【００４３】
ドアロック本体８に対するキーシリンダ装置１１の取付け高さが異なる複数の車種のドア１に、ドアロック本体８とキーシリンダ装置１１とを共通して取付ける場合には、その取付け高さの違いを、予め、３個の回動アーム２４の間隔と同一間隔だけ異なる上、中、下の３種類のパターンとなるように定めておき、ドアロック本体８に対するキーシリンダ装置１１の取付け高さが低いタイプのものにおいては、キーシリンダ装置１１から延出する操作軸１２を、最下段の回動アーム２４における基部２４ａの非円形孔２５に嵌合し、上記取付け高さが中間のタイプのものにおいては、キーシリンダ装置１１から延出する操作軸１２を、中段の回動アーム２４における基部２４ａの非円形孔２５に嵌合し、上記取付け高さが高いタイプのものにおいては、キーシリンダ装置１１から延出する操作軸１２を、最上段の回動アーム２４における基部２４ａの非円形孔２５に嵌合するようにすればよい。
【００４４】
この実施形態においては、３個の回動アーム２４を設けてあるが、操作軸１２を、最下段の回動アーム２４における基部２４ａの非円形孔２５に嵌合して使用する場合は、キーレバー１５における中段および最上段の２個の分割片１９、２０を、最下段の分割片１８から切り離し、かつ中段および最上段の２個の回動アーム２４、２４を、ドアロック本体８から取り除いて使用することもできる。それによって、ドアロック本体８の軽量化を図ることができる。
【００４５】
同様に、操作軸１２を、中段の回動アーム２４における基部２４ａの非円形孔２５に嵌合して使用する場合は、キーレバー１５における最上段の分割片２０を、中段の分割片１９から切り離し、かつ最上段の回動アーム２４を、ドアロック本体８から取り除いて使用することもできる。
また、操作軸１２を、最上段の回動アーム２４に嵌合して使用する場合は、最下段および中段の回動アーム２４を、ドアロック本体８から取り除いて使用することもできる。
なお、カバー１４として、最上段の筒部１４ａのみを設けたもの、中段の筒部１４ａのみを設けたもの、および最下段の筒部１４ａのみを設けたもの、の３種類を用意しておき、操作軸１２を、上下３段のうちのいずれの回動アーム２４の非円形孔２５に嵌合するかによって、それに適合するカバー１４を選択して、使用することもできる。
【００４６】
以上、本発明の一実施形態について説明したが、本発明は、特許請求の範囲を逸脱しない範囲内で、次のような種々の変形や変更を施すことが可能である。
（ｉ）上記実施形態においては、キーレバー１５における各係合部２１を、四角形の孔としたが、キーレバー１５の側面に突設され、かつ回動アーム２４のアーム部２４ｂに設けた長手方向を向く長孔に嵌合した軸、またはその他の構造のものとしてもよい。
（ii）上記実施形態においては、被操作レバーであるキーレバー１５における複数の分割片同士を分離可能に結合する結合手段を、係合溝２２と鉤形の係合片２３とにより形成したが、他の構造の結合手段を用いてもよい。
【産業上の利用可能性】
【００４７】
上記実施形態は、操作手段をキーシリンダ装置１１とし、ドアロック本体８における被操作レバーをキーレバー１５とし、それらを操作軸１２をもって連結した車両用ドアロック装置に本発明を適用したものとしたが、本発明は、例えば、操作手段を、アウターパネルに設けたアウトサイドハンドル、またはインナーパネルに設けたインサイドハンドルとし、被操作レバーを、第１作動位置である不作動位置と、第２作動位置であるラッチ解除位置とに移動しうるようにした、施錠機構におけるラッチ解除レバーとし、それらを操作軸１２をもって連結した車両用ドアロック装置に適用することもできる。
【００４８】
また、操作手段を、インナーパネルに設けた施解錠操作用のノブとし、被操作レバーを、上記実施形態におけるキーレバー１５と同様のノブレバーとし、それらを操作軸１２をもって連結した車両用ドアロック装置に適用することもできる。
【００４９】
さらに、本発明は、車両のサイドドアだけでなく、バックドア、トランクリッド等のドアロック装置にも適用することができる。
【図面の簡単な説明】
【００５０】
【図１】本発明の一実施形態を備える車両における運転席側のドアの一部の概略側面図である。
【図２】図１のII−II線に沿う概略縦断正面部である。
【図３】ドアロック本体と操作軸の一部とを、斜め前方より見た斜視図である。
【図４】カバーの一部を切り欠いて示すドアロック本体の側面図である。
【図５】キーレバーが中立位置のときのキーレバーと回動アームとの関係を示す縦断側面図である。
【図６】キーレバーがロック位置のときのキーレバーと回動アームとの関係を示す縦断側面図である。
【図７】キーレバーがアンロック位置のときのキーレバーと回動アームとの関係を示す縦断側面図である。
【図８】キーレバーを斜め前方より見た分解斜視図である。
【符号の説明】
【００５１】
１  ドア
２  アウターパネル
３  インナーパネル
４  窓ガラス
５  開口
６  ドア本体
７  サッシ
８  ドアロック本体
９  凹部
１０  アウトサイドハンドル
１１  キーシリンダ装置(操作手段)
１２  操作軸
１３  ケース
１４  カバー
１４ａ  筒部
１５  キーレバー(被操作レバー)
１６  ピン
１７  レバー
１８、１９、２０  分割片
２１  係合部
２２  係合溝
２３  係合片
２４  回動アーム
２４ａ  基部
２４ｂ  アーム部
２５  非円形孔
【図１】
2008223295.tif 000003
【図２】
2008223295.tif 000004
【図３】
2008223295.tif 000005
【図４】
2008223295.tif 000006
【図５】
2008223295.tif 000007
【図６】
2008223295.tif 000008
【図７】
2008223295.tif 000009
【図８】
2008223295.tif 000010